(57)【要約】【課題】遊技機に使用された合成樹脂製部品を、情報表示用のシールや印刷塗料を剥がす等の手間を掛けず、容易にリサイクル可能とする。【解決手段】情報表示を望む合成樹脂製部品７１と同一材料により、その合成樹脂製部品７１に対して全部が着脱自在に、又は一部を残して分離可能に形成された板状表示部材１１を合成樹脂製部品７１に取着することで、その板状表示部材１１の要部にある情報表示面１１ａに付された表示情報１２，１３により合成樹脂製部品７１への情報表示を行うようにする。合成樹脂製部品７１のリサイクル時、表示情報１２，１３は板状表示部材１１の全部又は要部と共に合成樹脂製部品７１から廃除できる。【選択図】　　　　図１
2004065385.tif 000002
【特許請求の範囲】
【請求項１】
情報表示対象の合成樹脂製部品と同一材料により、その合成樹脂製部品に対して全部が着脱自在に、又はその合成樹脂製部品に取着後、その合成樹脂製部品と結合する一部を残して分離可能に形成された板状表示部材を前記合成樹脂製部品に取着することにより、その板状表示部材の情報表示面に付された表示情報によって前記合成樹脂製部品への情報表示を行うことを特徴とする遊技機の合成樹脂製部品への情報表示方法。
【発明の詳細な説明】
【０００１】
【発明の属する技術分野】
本発明は、パチンコ機等の遊技機の合成樹脂製部品を容易にリサイクル（再原料化）可能とした遊技機の合成樹脂製部品への情報表示方法に関するものである。
【０００２】
【従来の技術】
近年、パチンコ機等の遊技機の構成部品を合成樹脂製とすることが多くなっている。例えば、パチンコ機裏面側に取り付けられる電源基板、主基板、音声制御基板、ランプ制御基板や発射制御基板のような各種基板のケースやカバー、あるいは裏カバー、裏セット枠等を構成する部品は、殆どが合成樹脂製となっている。
また、このような電源基板、主基板、音声制御基板等の基板には、その基板の保守点検や修理時等の便宜のため、電気的な極性や入出力の別等、各端子の説明を内容とする文字、数字、記号、図等からなる情報が各基板のケース（合成樹脂製部品）面を利用して表示されることが多い。
大きなケースの場合には、表示できる面が広いことから、そのケースに収納される基板等とは直接関係のない情報、例えば遊技機のメーカ名、機種名、製造番号等の情報も表示されることが多い。このような情報の表示は、上記ケースやカバー（合成樹脂製部品）の表面に、各情報が印刷されたシールを貼ったり、直接、各情報を印刷することによって行われている。
【０００３】
図７は、このような情報表示の一例を示すパチンコ機裏面図で、図中７１は四角箱状の合成樹脂製の主基板ケースである。ここでは、主基板ケース７１に、「主基板」、「電圧ＡＣ２４Ｖ」というケース収納物名とその電源電圧を表す文字印刷７２が施され、また、「坊ちゃん黄門」というパチンコ機種名を印刷した文字シール７３が貼られることにより、情報表示を行った例を示している。
図示しないが、裏カバーや裏セット枠についても、製造年月日等の情報が表示されることが多く、この場合も、それらの情報は裏カバーや裏セット枠（合成樹脂製部品）の表面に、その情報が印刷されたシールを貼ったり、直接、その情報を印刷することが多い。
【０００４】
ところで、近年、資源の枯渇問題や環境保護の観点から多くの分野においてリサイクルが叫ばれてきているが、このことは、遊技機製造、供給分野においても例外ではない。
パチンコ機等の遊技機に使用されている合成樹脂製部品について述べれば、このような遊技機は日光（紫外線）の当たらない屋内に設置されるので、そこに使用されている合成樹脂製部品の劣化は少なく、また、機種毎のライフサイクルも比較的短いのでリサイクル材料として好適である。したがって、遊技機に使用されている合成樹脂製部品のリサイクルは大いに推進されることが望まれる。
【０００５】
【発明が解決しようとする課題】
しかし上述したように、遊技機の合成樹脂製部品には、各種情報が印刷されたシールが貼られていたり、各種情報が印刷されたりしている。
合成樹脂製品のリサイクルには、材質の揃った合成樹脂製品を細かく破砕する工程があるが、この時、上記シールが貼られたままであったり、印刷がされたままであると、再生された樹脂の品質が低下してしまう。
そこで従来は、遊技機の合成樹脂製部品に貼られた各種情報表示用のシールや印刷塗料を剥がしたり、削り取ったりしていたが、この作業に著しく手間がかかり、このため、容易にリサイクルを可能にする情報表示方法が要望されていた。
【０００６】
本発明は、上記のような要望に鑑みなされたもので、遊技機に使用された合成樹脂製部品を、手間のかかる作業を経ることなく、容易にリサイクル可能とした遊技機の合成樹脂製部品への情報表示方法を提供することを目的とする。
【０００７】
【課題を解決するための手段】
上記目的を達成するために、請求項１に記載の遊技機の合成樹脂製部品への情報表示方法に係る発明は、情報表示対象の合成樹脂製部品と同一材料により、その合成樹脂製部品に対して全部が着脱自在に、又はその合成樹脂製部品に取着後、その合成樹脂製部品と結合する一部を残して分離可能に形成された板状表示部材を前記合成樹脂製部品に取着することにより、その板状表示部材の情報表示面に付された表示情報によって前記合成樹脂製部品への情報表示を行うことを特徴とする。
【０００８】
【発明の実施の形態】
以下、本発明の実施の形態を図面に基づき説明する。
図１は本発明による遊技機の合成樹脂製部品への情報表示方法の第１実施例の説明図で、図中７１は、図７と同様に四角箱状の合成樹脂製の主基板ケースである。この主基板ケース７１は、パチンコ機裏面において、図示しない主基板を覆い収納しているが、この図１では、主基板ケース７１のみをパチンコ機裏面から取り出して示している。
この例では、主基板ケース７１と同一材料により、またこの主基板ケース７１に対して全部が着脱自在に形成された薄板状表示部材１１を主基板ケース７１に取着することにより、主基板ケース７１への情報表示が行われる。すなわち、薄板状表示部材１１の情報表示面１１ａには、「主基板」、「電源電圧ＡＣ２４Ｖ」というケース収納物名とその電源電圧を表す文字印刷１２が施され、また、「坊ちゃん黄門」というパチンコ機種名を印刷した文字シール１３が貼られており、これら文字印刷１２、文字シール１３（表示情報）によって情報表示が行われている。
上記文字印刷１２の実施や文字シール１３の貼付けは、薄板状表示部材１１が主基板ケース７１へ取着される前であっても、後であってもよいが、通常、文字印刷１２の実施は薄板状表示部材１１が主基板ケース７１へ取着される前がよい。文字シール１３の貼付けは、薄板状表示部材１１が主基板ケース７１へ取着される前、後を問わない。
【０００９】
上述したように、薄板状表示部材１１は主基板ケース７１に対して全部が着脱自在であるが、これは、例えば薄板状表示部材１１に細径の円柱状の凸部１１ｂを一体成形しておく。そして、主基板ケース７１には上記凸部１１ｂの径よりも僅かに小径の穴７４を穿設しておき、この穴７４に上記凸部１１ｂを圧入、離脱自在とすることによりなされている。凸部１１ｂ及び穴７４は、複数組、ここでは３組形成されている。
図２は、凸部１１ｂ及び穴７４を用いて薄板状表示部材１１が主基板ケース７１に取着された状態を例示する。
【００１０】
パチンコ機が廃棄されることになり、主基板ケース７１がリサイクルに回される際には、薄板状表示部材１１を主基板ケース７１から分離させる。分離は、凸部１１ｂ，穴７４近傍において、薄板状表示部材１１及び主基板ケース７１相互間にバール状の工具（図示せず）を差し込み、薄板状表示部材１１取着時とは逆方向の力を加え、上記凸部１１ｂを穴７４から離脱させることにより行われる。薄板状表示部材１１を主基板ケース７１から分離させれば、主基板ケース７１には文字印刷１２や文字シール１３は何の痕跡も残すことなく除去されることになる。したがって、文字印刷１２や文字シール１３を剥がしたり、削り取ったりする作業は無用となり、主基板ケース７１を容易にリサイクルできる。
またこの第１実施例によれば、情報表示面１１ａに再度の印刷やシール貼りをすることにより、薄板状表示部材１１のリユース（再使用）も可能である。
【００１１】
なお、薄板状表示部材１１を主基板ケース７１から分離させた際に、凸部１１ｂが穴７４に残留しても、主基板ケース７１のリサイクルに何ら支障を来たすものではない。凸部１１ｂは、薄板状表示部材１１の成形時、この薄板状表示部材１１と一体に成形された、つまり主基板ケース７１と同一材料により形成されたものだからである。したがって、凸部１１ｂを穴７４に残留させてしまうような方法、例えば凸部１１ｂを切断するような方法により、薄板状表示部材１１を主基板ケース７１から分離させることも可能である。
【００１２】
図３は本発明による情報表示方法の第２実施例の説明図である。
この例では、主基板ケース７１に取着後、その主基板ケース７１と結合する一部を残して切除（分離）可能に形成された薄板状表示部材３１を用い、主基板ケース７１への情報表示を行っている。
上記薄板状表示部材３１は、情報表示面３１ａを有する表示部材本体３１ｂ、主基板ケース７１への取付け代３１ｃ並びに、これら表示部材本体３１ｂ及び取付け代３１ｃを連結する複数、例えば３つのランナ部３１ｄを備え、主基板ケース７１と同一材料により一体成形されている。ランナ部３１ｄは、はさみやニッパ等の切断用工具（図示せず）を用いたときに容易に切断可能な形状、大きさ、例えば微小径、長さの円柱状に形成されている。
【００１３】
この薄板状表示部材３１は、溶着によって主基板ケース７１に取着され、情報表示面３１ａに付された文字印刷１２、文字シール１３によって合成樹脂製部品である主基板ケース７１への情報表示が行われる。
なお図中、斜線部７５は薄板状表示部材３１の主基板ケース７１への溶着部を示す。
【００１４】
パチンコ機が廃棄されることになり、主基板ケース７１がリサイクルに回される際には、薄板状表示部材１１の表示部材本体３１ｂを主基板ケース７１から分離させる。分離は、薄板状表示部材３１のランナ部３１ｄを切断し、表示部材本体３１ｂを取付け代３１ｃから除去させることにより行われる。
表示部材本体３１ｂを主基板ケース７１から分離させれば、主基板ケース７１には文字印刷１２や文字シール１３は何の痕跡も残すことなく除去されることになる。したがって、上述第１実施例と同様に、主基板ケース７１を容易にリサイクルできる。
この例では、上記分離の際に、図４に示すように取付け代３１ｃが主基板ケース７１に残留するが、主基板ケース７１のリサイクルに何ら支障を来たすものではない。取付け代３１ｃは、表示部材本体３１ｂの成形時、この表示部材本体３１ｂと一体に成形された、つまり主基板ケース７１と同一材料により形成されたものだからである。
【００１５】
図５は本発明による情報表示方法の第３実施例の説明図である。
この例も、上述第２実施例と同様に、主基板ケース７１に取着後、その主基板ケース７１と結合する一部を残して切除可能に形成された薄板状表示部材３１を用い、主基板ケース７１への情報表示を行っている。
上記薄板状表示部材３１は、ここでは上述第２実施例と同様の表示部材本体３１ｂ、取付け代３１ｃ及びランナ部３１ｄに加えて止め具３１ｅを備え、主基板ケース７１と同一材料により一体成形されている。
上記止め具３１ｅは、上記取付け代３１ｃの裏面左右位置に、各々中央に割溝が形成されたきのこ状に突出形成され、主基板ケース７１に穿設された穴７６に圧入可能である。図６は、穴７６に圧入後の止め具３１ｅ部分を図５の上方から拡大して示す断面図である。
【００１６】
この薄板状表示部材３１は、止め具３１ｅの主基板ケース７１の穴７６への圧入によって主基板ケース７１に取着され、情報表示面３１ａに付された文字印刷１２、文字シール１３によって合成樹脂製部品である主基板ケース７１への情報表示が行われる。
【００１７】
パチンコ機が廃棄されることになり、主基板ケース７１がリサイクルに回される際には、薄板状表示部材１１の表示部材本体３１ｂを主基板ケース７１から分離させる。分離は、上述第２実施例の場合と同様にランナ部３１ｄの切断により行われる。
表示部材本体３１ｂを分離すれば、主基板ケース７１には文字印刷１２や文字シール１３は全て除去され、主基板ケース７１は容易にリサイクル可能となる。この例においても、上記分離の際に、取付け代３１ｃが主基板ケース７１に残留するが、上述第２実施例の場合と同様、取付け代３１ｃは主基板ケース７１と同一材料により形成されているので、主基板ケース７１のリサイクルに支障を来たさない。
【００１８】
なお、上述第１〜第３実施例においては、いずれも本発明を、パチンコ機裏面側に取り付けられた合成樹脂製部品（主基板ケース７１）への情報表示に適用した場合について述べたが、これのみに限定されることはない。パチンコ機正面側、例えば遊技盤面に取り付けられた合成樹脂製部品への情報表示に本発明を適用してもよい。
また上掲図において、同一符号は同一又は相当部分を示す。
【００１９】
【発明の効果】
以上述べたように本発明では、情報表示を望む合成樹脂製部品と同一材料により、その合成樹脂製部品に対して全部が着脱自在に、又は一部を残して分離可能に形成された板状表示部材を合成樹脂製部品に取着することで、その板状表示部材の情報表示面に付された表示情報によって合成樹脂製部品への情報表示を行うようにした。
これによれば、遊技機に使用された合成樹脂製部品を、情報表示用のシールや印刷塗料を剥がしたり、削り取る等の手間のかかる作業を経ることなく、容易にリサイクル可能となる。
【図面の簡単な説明】
【図１】本発明による情報表示方法の第１実施例の説明図である。
【図２】図１中の薄板状表示部材が主基板ケースに取着された状態を例示する図である。
【図３】本発明による情報表示方法の第２実施例の説明図である。
【図４】同上第２実施例において薄板状表示部材の取付け代が主基板ケースに残留した状態を例示する図である。
【図５】本発明による情報表示方法の第３実施例の説明図である。
【図６】同上第３実施例において主基板ケースの穴に薄板状表示部材の止め具が圧入された後の状態を示す拡大断面図である。
【図７】従来技術を示すパチンコ機裏面図である。
【符号の説明】
１１，３１　薄板状表示部材（板状表示部材）
１１ａ，３１ａ　情報表示面
１２　文字印刷（表示情報）
１３　文字シール（表示情報）
７１　主基板ケース（合成樹脂製部品）
【図１】
2004065385.tif 000003
【図２】
2004065385.tif 000004
【図３】
2004065385.tif 000005
【図４】
2004065385.tif 000006
【図５】
2004065385.tif 000007
【図６】
2004065385.tif 000008
【図７】
2004065385.tif 000009